(57)【要約】【課題】携帯可能な情報端末から取り外された光学フィルタやそれに類するシート状又は板状の物体について、破損や傷発生、置き忘れや紛失等を抑制できる手段を提供すること。【解決手段】携帯可能な情報端末１０における情報表示面１２ａを除く面である保持面１２ｂに取り付けられて、シート状又は板状の被保持物体２０を情報端末１０における保持面１２ｂに保持させる保持具１であって、被保持物体２０における保持面１２ｂと対向する面を裏面とし、被保持物体２０における裏面と反対側の面を表面とし、保持面１２ｂと統合することにより当該保持具１を保持面１２ｂに固定させる固定部と、被保持物体２０の表面を支持する表面支持部と、被保持物体２０の側面を支持する側面支持部と、を備える。【選択図】図１
2020181298.tif 000002
【特許請求の範囲】
【請求項１】
携帯可能な情報端末における情報表示面を除く面である保持面に取り付けられて、シート状又は板状の被保持物体を前記情報端末における前記保持面に保持させる保持具であって、
前記被保持物体における前記保持面と対向する面を裏面とし、前記被保持物体における前記裏面と反対側の面を表面とし、
前記保持面と係合することにより当該保持具を前記保持面に固定させる固定部と、
前記被保持物体の前記表面を支持する表面支持部と、
前記被保持物体の側面を支持する側面支持部と、を備える保持具。
【請求項２】
前記情報端末の前記保持面、及び前記被保持物体は矩形状であり、
前記側面支持部が、前記被保持物体の対向する２辺に対応する２つの側面を少なくとも支持する請求項１に記載の保持具。
【請求項３】
前記情報端末の前記保持面、及び前記被保持物体は矩形状であり、
前記側面支持部が、前記被保持物体の対向する２辺及び当該２辺に交わる１辺に対応する３つの側面を支持する請求項１又は２に記載の保持具。
【請求項４】
複数の支持部材を備え、
前記情報端末の前記保持面、及び前記被保持物体は矩形状であり、
複数の前記支持部材のうちの少なくとも一つが備える前記側面支持部は、前記被保持物体の隣接する２辺に対応する２つの側面を支持する請求項１から３のいずれか１項に記載の保持具。
【請求項５】
前記被保持物体の前記裏面を支持する裏面支持部を備え、
前記裏面支持部における前記被保持物体が位置する側と反対側に前記固定部が設けられている請求項１から４のいずれか１項に記載の保持具。
【請求項６】
前記表面支持部は、前記被保持物体に対して接近離間する方向に弾性変形可能な変形部と、前記変形部から前記被保持物体に向けて突出する突出部と、を備える請求項１から５のいずれか１項に記載の保持具。
【請求項７】
前記被保持物体が、前記情報端末の前記情報表示面に着脱可能な光学フィルタを含む請求項１から６のいずれか１項に記載の保持具。
【請求項８】
前記被保持物体が、シート状又は板状の被挟持体と、前記被挟持体を挟持する見開き状の挟持体と、を含む請求項１から７のいずれか１項に記載の保持具。
【請求項９】
請求項１から６のいずれか１項に記載の前記保持具により保持可能なシート状又は板状の前記被保持物体としての挟持体であって、シート状又は板状の被挟持体を挟持可能な見開き状の挟持体。
【発明の詳細な説明】
【技術分野】
【０００１】
本発明は、保持具及び挟持体に関する。
【背景技術】
【０００２】
特許文献１には、ディスプレイ装置の表示面に取り付けられる光学フィルタが記載されている。光学フィルタの取付面に、反復使用可能な感圧粘着テープが固定されている。これにより、フィルタがディスプレイ装置に対して簡単に着脱できるので、フィルタ及びディスプレイ装置の掃除が容易である。
【０００３】
特許文献２には、ディスプレイの表面に設けられ、第三者による覗き見を防止するためのプライバシーフィルタが記載されている。
【先行技術文献】
【特許文献】
【０００４】
【特許文献１】実開平５−３０８０２号公報
【特許文献２】国際公開第２０１４／１０３３４３号
【発明の概要】
【発明が解決しようとする課題】
【０００５】
近年、携帯電話、スマートフォン、ノートパソコン等の携帯可能な電子機器が急速に普及し、電車内等の公共の場所で使用される場合が多くなっている。そのため、ディスプレイに表示される個人情報や機密情報が第三者に覗き見される可能性が高くなっている。この問題を解決するため、正面以外からの視認性を低下させるプライバシーフィルタが普及している。
【０００６】
プライバシーフィルタは、覗き見を抑制することができる反面、ディスプレイ装置の表示内容を第三者や複数人に見せたい場合には邪魔になる。例えば、ノートパソコンやタブレット端末の画面表示内容を顧客に示してプレゼンテーションを行う場合には、プライバシーフィルタにより顧客が表示内容を読み取ることが妨げられる。このような場合には、ディスプレイ装置からプライバシーフィルタを取り外すと、表示内容が読み取りやすくなり好ましい。しかし、取り外されたプライバシーフィルタは、表示画面と同程度に大きく、且つ薄いため、破損したり傷が生じたりする可能性がある。また、置き忘れや紛失の可能性もある。
【０００７】
特許文献２には、プライバシーフィルタの撓性を高めることによりディスプレイへの着脱を容易化した旨の記載があるが、プライバシーフィルタを長時間取り外すことや、外したプライバシーフィルタを保護する手法についての記載は存在しない。特許文献１には、着脱を簡単にすることにより光学フィルタ及びディスプレイ装置の掃除を容易にした旨の記載があるが、外した光学フィルタの取り扱いについての記載は存在しない。そもそも、掃除のための取り外しはごく短い時間に限られ、外した光学フィルタの保護を考慮する必要はない。
【０００８】
本発明の目的は、携帯可能な情報端末から取り外された光学フィルタやそれに類するシート状又は板状の物体について、破損や傷発生、置き忘れや紛失等を抑制できる手段を提供することにある。
【課題を解決するための手段】
【０００９】
本発明の保持具は、
携帯可能な情報端末における情報表示面を除く面である保持面に取り付けられて、シート状又は板状の被保持物体を前記情報端末における前記保持面に保持させる保持具であって、
前記被保持物体における前記保持面と対向する面を裏面とし、前記被保持物体における前記裏面と反対側の面を表面とし、
前記保持面と係合することにより当該保持具を前記保持面に固定させる固定部と、
前記被保持物体の前記表面を支持する表面支持部と、
前記被保持物体の側面を支持する側面支持部と、を備えることを特徴とする。
【００１０】
上記の特徴構成によれば、保持具を情報端末の保持面に固定して、被保持物体の表面及び側面を保持部が支持することにより、被保持物体を情報端末に保持させることが可能となる。これにより、シート状又は板状の被保持物体を保持面において保持し、被保持物体の破損や傷発生、置き忘れや紛失等を抑制することができる。なお、被保持物体としてはシート状又は板状の物体であればよく、材質、形状、厚さ、目的、用途等は問わない。例えば被保持物体は、情報端末の情報表示面に取り付けられる光学フィルタ（偏光フィルタ、反射防止フィルタ、プライバシーフィルタ等）、書類、雑誌の切り抜き等であってもよいし、情報端末の装飾や保護の為の紙、厚紙、樹脂フィルム、樹脂板等であってもよい。また、これらのシート状又は板状の物体を挟持するクリアファイル等であってもよい。
【００１１】
本発明において、
前記情報端末の前記保持面、及び前記被保持物体は矩形状であり、
前記側面支持部が、前記被保持物体の対向する２辺に対応する２つの側面を少なくとも支持すると好適である。
【００１２】
この特徴構成によれば、矩形状の被保持物体の対向する２辺について側面支持部が支持するので、被保持物体を安定した状態で情報端末に保持させることができる。加えて、当該２辺の延びる方向に沿って被保持物体を移動させることができ、被保持物体の位置調整や、被保持物体の情報端末への着脱が容易になる。
【００１３】
本発明において、
前記情報端末の前記保持面、及び前記被保持物体は矩形状であり、
前記側面支持部が、前記被保持物体の対向する２辺及び当該２辺に交わる１辺に対応する３つの側面を支持すると好適である。
【００１４】
この特徴構成によれば、矩形状の被保持物体の３辺について側面支持部が支持するので、被保持物体を更に安定した状態で情報端末に保持させることができる。加えて、対向する２辺の延びる方向に沿って被保持物体を移動でき、且つ、他の１辺を側面支持部に支持させることができるので、被保持物体を情報端末に保持させる際の位置決めが容易かつ確実になる。
【００１５】
本発明において、
複数の支持部材を備え、
前記情報端末の前記保持面、及び前記被保持物体は矩形状であり、
複数の前記支持部材のうちの少なくとも一つが備える前記側面支持部は、前記被保持物体の隣接する２辺に対応する２つの側面を支持すると好適である。
【００１６】
この特徴構成によれば、矩形状の被保持物体の隣接する２辺について支持部材が支持するので、被保持物体を確実に位置決めし、更に安定した状態で情報端末に保持させることができる。また一つの部材で２辺を支持できるので支持部材の数を減らすことができる。
【００１７】
本発明において、
前記被保持物体の前記裏面を支持する裏面支持部を備え、
前記裏面支持部における前記被保持物体が位置する側と反対側に前記固定部が設けられていると好適である。
【００１８】
この特徴構成によれば、被保持物体の表面と裏面の両方を保持具が支持するので、被保持物体を更に安定した状態で情報端末に保持させることができる。加えて、固定部を比較的広い領域に設けることができるので、保持具を情報端末に更に確実に固定させることができる。
【００１９】
本発明において、
前記表面支持部は、前記被保持物体に対して接近離間する方向に弾性変形可能な変形部と、前記変形部から前記被保持物体に向けて突出する突出部と、を備えると好適である。
【００２０】
この特徴構成によれば、被保持物体の厚さに応じて変形部が変形して、突出部が被保持物体の表面に接触することができるので、様々な厚さの被保持物体を確実に情報端末に保持させることができる。
【００２１】
本発明において、
前記被保持物体が、前記情報端末の前記情報表示面に着脱可能な光学フィルタを含むと好適である。
【００２２】
この特徴構成によれば、情報端末の情報表示面から取り外した光学フィルタを情報端末の保持面に保持させることができるので、光学フィルタの破損や傷発生、置き忘れや紛失等を抑制することができる。
【００２３】
本発明において、
前記被保持物体が、シート状又は板状の被挟持体と、前記被挟持体を挟持する見開き状の挟持体と、を含むと好適である。
【００２４】
この特徴構成によれば、シート状又は板状の被挟持体を挟持体に挟持させた状態で、情報端末の保持面に保持させることができるので、被挟持体を挟持体によって保護すると共に、被挟持体及び挟持体の破損や傷発生、置き忘れや紛失等を抑制することができる。
【００２５】
本発明の挟持体は、
請求項１から６に記載の前記保持具により保持可能なシート状又は板状の前記被保持物体としての挟持体であって、シート状又は板状の被挟持体を挟持可能な見開き状の挟持体であることを特徴とする。
【００２６】
上記の特徴構成によれば、シート状又は板状の被挟持体を挟持体で挟持することにより、被挟持体を保護することができる。そして、被挟持体を挟持した挟持体を保持具により情報端末の保持面に保持させることができるので、被挟持体及び挟持体の破損や傷発生、置き忘れや紛失等を抑制することができる。
【図面の簡単な説明】
【００２７】
【図１】保持具によって被保持物体を保持した状態のノートパソコンを示す斜視図である。
【図２】第１実施形態に係る保持具と被保持物体とが配置されたディスプレイ部の天面を法線方向に沿って視る平面図である。
【図３】図２のＩＩＩ−ＩＩＩ断面図である。
【図４】図２のＩＶ−ＩＶ断面図である。
【図５】第２実施形態に係る保持具と被保持物体とが配置されたディスプレイ部の天面を法線方向に沿って視る平面図である。
【図６】図５のＶＩ−ＶＩ断面図である。
【図７】図５のＶＩＩ−ＶＩＩ断面図である。
【図８】第３実施形態に係る保持具と被保持物体とが配置されたディスプレイ部についての、図３と同様の断面による断面図である。
【図９】第３実施形態に係る保持具と被保持物体とが配置されたディスプレイ部についての、図４と同様の断面による断面図である。
【発明を実施するための形態】
【００２８】
〔第１実施形態〕
以下、本発明の具体的な実施形態について図面を参照しながら説明する。図１に、ノートパソコン１０（携帯可能な情報端末の一例）に保持具１が固定されて、被保持物体２０がノートパソコン１０に保持されている状態が示されている。本実施形態では、被保持物体２０は光学フィルタである。本実施形態では、保持具１は、左支持部材３０（支持部材の一例）と右支持部材４０（支持部材の一例）とを備えている。
【００２９】
ノートパソコン１０は、本体部１１と、ディスプレイ部１２と、ヒンジ部１３と、を備えている。本体部１１及びディスプレイ部１２は、矩形の板状に形成されている。本体部１１とディスプレイ部１２とがヒンジ部１３により開閉可能に連結されている。
【００３０】
ディスプレイ部１２における、本体部１１とディスプレイ部１２とを閉じたときに内側となる面を、情報表示面１２ａと呼ぶ。情報表示面１２ａに、情報を表示する表示装置（図示なし）が設けられている。ディスプレイ部１２における情報表示面１２ａと反対側の面を、天面１２ｂ（保持面の一例）と呼ぶ。本実施形態では、天面１２ｂに保持具１が固定されている。
【００３１】
本体部１１における、本体部１１とディスプレイ部１２とを閉じたときに内側となる面を、キーボード面１１ａと呼ぶ。キーボード面１１ａに、操作入力を受け付けるキーボード装置１１ｂが設けられている。本体部１１におけるキーボード面１１ａと反対側の面を、底面１１ｃと呼ぶ。
【００３２】
図２は、ディスプレイ部１２の天面１２ｂを法線方向に沿って視る平面図である。以下の説明では、ディスプレイ部１２の長辺に平行な方向をＸ方向とし、図２における左側をＸ１側、右側をＸ２側とする。ディスプレイ部１２の短辺に平行な方向をＹ方向とし、図２における上側をＹ１側、下側をＹ２側とする。ディスプレイ部１２においてヒンジ部１３が位置する側がＹ２側である。ディスプレイ部１２の天面１２ｂの法線方向をＺ方向とし、図２の紙面手前側をＺ１側、紙面奥側をＺ２側とする（図３、図４参照）。
【００３３】
本実施形態では、被保持物体２０は光学フィルタであり、矩形状の板状の部材である。光学フィルタは、透光性を有する樹脂勢である。光学フィルタは例えば、表示装置からの光を偏光する偏光フィルタ、外部からの入射光の反射を抑制する反射防止フィルタ、視野角を小さくして覗き見を抑制するプライバシーフィルタ等である。被保持物体２０である光学フィルタは、ノートパソコン１０のディスプレイ部１２の情報表示面１２ａに着脱可能であり、使用時にはディスプレイ部１２の情報表示面１２ａに取り付けられ、非使用時には情報表示面１２ａから取り外されて保持具１により天面１２ｂに保持される。被保持物体２０である光学フィルタは、ノートパソコン１０の表示装置における情報表示領域とほぼ同じ大きさである。例えば、被保持物体２０の面積は情報表示領域の面積の９割以上であってもよい。被保持物体２０の長辺（又は短辺）の長さは、情報表示領域の長辺（又は短辺）の長さの９割以上であってもよい。
【００３４】
被保持物体２０が天面１２ｂに保持された状態において、被保持物体２０における天面１２ｂと対向する面を裏面２０ａと呼ぶ。裏面２０ａと反対側の面を表面２０ｂと呼ぶ。被保持物体２０のＸ１側の側面を第１側面２１、Ｘ２側の側面を第２側面２２、Ｙ１側の側面を第３側面２３、Ｙ２側の側面を第４側面２４と呼ぶ。第１側面２１及び第２側面２２は、被保持物体２０の対向する２辺（短辺）に対応する側面である。第３側面２３及び第４側面２４は、被保持物体２０の対向する２辺（長辺）に対応する側面である。
【００３５】
左支持部材３０及び右支持部材４０は、Ｚ方向視で概ねＬ字状の部材である。左支持部材３０と右支持部材４０とは、法線がＸ方向に平行な平面に対して対称な形状である。左支持部材３０及び右支持部材４０は、樹脂製の部材である。左支持部材３０及び右支持部材４０は、その全てがＺ方向視で天面１２ｂと重なる位置に配置されている。換言すれば、保持具１は天面１２ｂからはみ出さない状態で、天面１２ｂの領域内に配置されている。これにより、余計な部材が天面１２ｂからはみ出してノートパソコン１０が持ちにくくなったり、大きな収納スペースが必要となる事態を防止できる。
【００３６】
図２、図３、図４に示されるように、左支持部材３０は、角柱状の部位である左第１部位３１及び左第２部位３２と、平板状の部位である左第３部位３３とを備える。左第１部位３１はＹ方向に沿って延びる。左第２部位３２はＸ方向に沿って延びる。左第１部位３１のＹ２側の端部が、左第２部位３２のＸ１側の端部と連結されている。左第３部位３３は、左第１部位３１のＺ１側端部からＸ２方向へ延び、左第２部位３２のＺ１側端部からＹ１方向へ延び、左第１部位３１から左第２部位３２に渡って延びている。図３に示されるように、法線がＹ方向に平行な平面による左第１部位３１及び左第３部位３３の断面は、Ｌ字状である。図４に示されるように、法線がＸ方向に平行な平面による左第２部位３２及び左第３部位３３の断面は、Ｌ字状である。
【００３７】
左第１部位３１及び左第２部位３２のＺ２側の面に両面テープ３５（固定部の一例）が設けられている。左支持部材３０は、両面テープ３５によりノートパソコン１０のディスプレイ部１２の天面１２ｂに対して係合し、天面１２ｂに固定されている。
【００３８】
図２、図３、図４に示されるように、右支持部材４０は、角柱状の部位である右第１部位４１及び右第２部位４２と、平板状の部位である右第３部位４３とを備える。右第１部位４１はＹ方向に沿って延びる。右第２部位４２はＸ方向に沿って延びる。右第１部位４１のＹ２側の端部が、右第２部位４２のＸ２側の端部と連結されている。右第３部位４３は、右第１部位４１からＸ１方向へ延び、右第２部位４２からＹ１方向へ延び、右第１部位４１から右第２部位４２に渡って延びている。図３に示されるように、法線がＹ方向に平行な平面による右第１部位４１及び右第３部位４３の断面は、逆Ｌ字状である。図示されないが、法線がＸ方向に平行な平面による右第２部位４２及び右第３部位４３の断面は、Ｌ字状である。
【００３９】
右第１部位４１及び右第２部位４２のＺ２側の面に両面テープ４５（固定部の一例）が設けられている。右支持部材４０は、両面テープ４５によりノートパソコン１０のディスプレイ部１２の天面１２ｂに対して係合し、天面１２ｂに固定されている。
【００４０】
〔表面支持部〕
図３、図４に示されるように、左支持部材３０の左第３部位３３のＺ２側（すなわちディスプレイ部１２の天面１２ｂ側）の面３３ａは、被保持物体２０の表面２０ｂと対向している。同様に、右支持部材４０の右第３部位４３のＺ２側（すなわちディスプレイ部１２の天面１２ｂ側）の面４３ａは、被保持物体２０の表面２０ｂと対向している。
【００４１】
図３、図４に示される、被保持物体２０の表面２０ｂと左第３部位３３の面３３ａとの間の隙間は、無くてもよく、表面２０ｂと面３３ａとが常に接触していてもよい。被保持物体２０の表面２０ｂと右第３部位４３の面４３ａとの間の隙間は、無くてもよく、表面２０ｂと面４３ａとが常に接触していてもよい。隙間がある場合、被保持物体２０がＺ１方向に移動すると、被保持物体２０の表面２０ｂが左第３部位３３の面３３ａ及び右第３部位４３の面４３ａと接触して被保持物体２０のＺ２方向の移動が抑制される。このようにして、左第３部位３３の面３３ａ及び右第３部位４３の面４３ａは被保持物体２０の表面２０ｂを支持する。すなわち左第３部位３３の面３３ａ及び右第３部位４３の面４３ａは、特許請求の範囲に記載された表面支持部の一例である。
【００４２】
〔側面支持部〕
図２、図３に示されるように、左支持部材３０の左第１部位３１のＸ２側（すなわちＸ方向内側）の側面３１ａは、被保持物体２０の第１側面２１と対向している。右支持部材４０の右第１部位４１のＸ１側（すなわちＸ方向内側）の側面４１ａは、被保持物体２０の第２側面２２と対向している。
【００４３】
図２、図３に示される、左第１部位３１の側面３１ａと被保持物体２０の第１側面２１との間の隙間は、無くてもよく、側面３１ａと第１側面２１とが常に接触していてもよい。右第１部位４１の側面４１ａと被保持物体２０の第２側面２２との間の隙間は、無くてもよく、側面４１ａと第２側面２２とが常に接触していてもよい。隙間がある場合、被保持物体２０がＸ方向に移動すると、被保持物体２０の第１側面２１又は第２側面２２が左第１部位３１の側面３１ａ又は右第１部位４１の側面４１ａと接触して、被保持物体２０のＸ方向の移動が抑制される。このようにして、左支持部材３０の側面３１ａは、被保持物体２０の第１側面２１を支持する。右支持部材４０の側面４１ａは、被保持物体２０の第２側面２２を支持する。すなわち左第１部位３１の側面３１ａ及び右第１部位４１の側面４１ａは、特許請求の範囲に記載された側面支持部の一例である。
【００４４】
図２、図４に示されるように、左支持部材３０の左第２部位３２のＹ１側（すなわちＹ方向内側）の側面３２ａは、被保持物体２０の第４側面２４と対向している。図２に示されるように、右支持部材４０の右第２部位４２のＹ１側（すなわちＹ方向内側）の側面４２ａは、被保持物体２０の第４側面２４と対向している。
【００４５】
図２、図４に示される、被保持物体２０の第４側面２４と左第２部位３２の側面３２ａとの間の隙間は、無くてもよく、第４側面２４と側面３２ａとが常に接触していてもよい。図２に示される、被保持物体２０の第４側面２４と右第２部位４２の側面４２ａとの間の隙間は、無くてもよく、第４側面２４と側面４２ａとが常に接触していてもよい。隙間がある場合、被保持物体２０がＹ２方向に移動すると、被保持物体２０の第４側面２４が左第２部位３２の側面３２ａ及び右第２部位４２の側面４２ａと接触して、被保持物体２０のＹ２方向への移動が抑制される。このようにして、左第２部位３２の側面３２ａ及び右第２部位４２の側面４２ａは、被保持物体２０の第２側面２２を支持する。すなわち左第２部位３２の側面３２ａ及び右第２部位４２の側面４２ａは、特許請求の範囲に記載された側面支持部の一例である。
【００４６】
以上述べたとおり本実施形態では、保持具１の側面支持部（左支持部材３０の側面３１ａ及び側面３２ａ、右支持部材４０の側面４１ａ及び側面４２ａ）は、被保持物体２０の対向する２辺及び当該２辺に交わる１辺に対応する３つの側面（第１側面２１、第２側面２２及び第４側面２４）を支持する。左支持部材３０が備える側面支持部（側面３１ａ及び側面３２ａ）は、被保持物体２０の隣接する２辺に対応する２つの側面（第１側面２１及び第４側面２４）を支持する。右支持部材４０が備える側面支持部（側面４１ａ及び側面４２ａ）は、被保持物体２０の隣接する２辺に対応する２つの側面（第２側面２２及び第４側面２４）を支持する。
【００４７】
〔第２実施形態〕
以下、本発明の他の実施形態について図５、図６、図７を参照しながら説明する。以下の説明では、上述の実施形態と同様の構成については、図面にて同じ符号を付した上で説明を省略する場合がある。
【００４８】
本実施形態では、被保持物体２０が、板状の光学フィルタ２５（被挟持体の一例）と、光学フィルタ２５を挟持する見開き状のクリアファイル２６（挟持体の一例）と、により構成される。すなわち、ノートパソコン１０の情報表示面１２ａに着脱可能な光学フィルタ２５が、クリアファイル２６に挟持された状態で、保持具１によりノートパソコン１０の天面１２ｂに保持される。
【００４９】
クリアファイル２６は矩形状であり、第１葉２６ａと、第２葉２６ｂと、端部部材２６ｃと、を備えている。第１葉２６ａと第２葉２６ｂとが、Ｙ２側の長辺にて接合されている。これにより、クリアファイル２６はＹ１側の長辺において開くことが可能な見開き状に形成されている。端部部材２６ｃは、Ｘ方向に延びる棒状の部材であって、第１葉２６ａのＹ１側の端部に固定されている。被保持物体２０がノートパソコン１０に保持されるとき、端部部材２６ｃにおけるＹ２側の端面が、左支持部材３０及び右支持部材４０におけるＹ１側の端面（詳しくは、左第３部位３３及び左第４部位３４におけるＹ１側の端面）と接触して、被保持物体２０が保持具１に対して位置決めされる。
【００５０】
左支持部材３０が、左第１部位３１、左第２部位３２、左第３部位３３に加えて、平板状の部位である左第４部位３４を備えている。左第４部位３４は、左第１部位３１のＺ２側端部からＸ２方向へ延び、左第２部位３２のＺ２側端部からＹ１方向へ延び、左第１部位３１から左第２部位３２に渡って延びている。左第３部位３３と左第４部位３４とは平行である。図６に示されるように、法線がＹ方向に平行な平面による左第１部位３１、左第３部位３３及び左第４部位３４の断面は、開口がＸ２側を向いたＵ字状である。図７に示されるように、法線がＸ方向に平行な平面による左第２部位３２、左第３部位３３及び左第４部位３４の断面は、開口がＹ１側を向いたＵ字状である。
【００５１】
左第１部位３１及び左第２部位３２のＺ２側の面に加えて、左第４部位３４のＺ２側の面にも両面テープ３５（固定部の一例）が設けられている。左支持部材３０は、両面テープ３５によりノートパソコン１０のディスプレイ部１２の天面１２ｂに固定されている。
【００５２】
右支持部材４０が、右第１部位４１、右第２部位４２、右第３部位４３に加えて、平板状の部位である右第４部位４４を備えている。右第４部位４４は、右第１部位４１のＺ２側端部からＸ１方向へ延び、右第２部位４２のＺ２側端部からＹ１方向へ延び、右第１部位４１から右第２部位４２に渡って延びている。右第３部位４３と右第４部位４４とは平行である。図６に示されるように、法線がＹ方向に平行な平面による右第１部位４１、右第３部位４３及び右第４部位４４の断面は、開口がＸ１側を向いたＵ字状である。図７に示されるように、法線がＸ方向に平行な平面による右第２部位４２、右第３部位４３及び右第４部位４４の断面は、開口がＹ１側を向いたＵ字状である。
【００５３】
右第１部位４１及び右第２部位４２のＺ２側の面に加えて、右第４部位４４のＺ２側の面にも両面テープ４５（固定部の一例）が設けられている。左支持部材３０は、両面テープ４５によりノートパソコン１０のディスプレイ部１２の天面１２ｂに固定されている。
【００５４】
〔裏面支持部〕
図６、図７に示されるように、左支持部材３０の左第４部位３４のＺ１側（すなわちディスプレイ部１２の天面１２ｂと反対側）の面３４ａは、被保持物体２０の裏面２０ａと対向している。同様に、右支持部材４０の右第４部位４４のＺ１側（すなわちディスプレイ部１２の天面１２ｂと反対側）の面４４ａは、被保持物体２０の裏面２０ａと対向している。
【００５５】
図６、図７に示される、被保持物体２０の裏面２０ａと左第４３部位３４の面３４ａとの間の隙間は、無くてもよく、裏面２０ａと面３４ａとが常に接触していてもよい。被保持物体２０の裏面２０ａと右第４部位４４の面４４ａとの間の隙間は、無くてもよく、裏面２０ａと面４４ａとが常に接触していてもよい。隙間がある場合、被保持物体２０がＺ２方向に移動すると、被保持物体２０の裏面２０ａが左第４部位３４の面３４ａ及び右第４部位４４の面４４ａと接触して被保持物体２０のＺ２方向の移動が抑制される。このようにして、左第４部位３４の面３４ａ及び右第４部位４４の面４４ａは被保持物体２０の裏面２０ａを支持する。すなわち左第４部位３４の面３４ａ及び右第４部位４４の面４４ａは、特許請求の範囲に記載された裏面支持部の一例である。
【００５６】
〔第３実施形態〕
以下、本発明の他の実施形態について図８、図９を参照しながら説明する。本実施形態では、左支持部材３０の左第３部位３３及び右支持部材４０の右第３部位４３が、被保持物体２０に対して接近離間する方向、すなわちＺ方向に弾性変形可能なように構成される。例えば、左第３部位３３及び右第３部位４３が弾性変形可能な樹脂により形成される。左支持部材３０の左第３部位３３及び右支持部材４０の右第３部位４３は、特許請求の範囲に記載された変形部の一例である。
【００５７】
加えて左支持部材３０が、左第３部位３３から被保持物体２０に向けて突出する突出部３３ｂを備える。突出部３３ｂは、左第３部位３３の面３３ａからＺ２方向に突出した突起状の部位である。突出部３３ｂは、図９に示されるように、Ｙ方向に延びており、左第３部位３３のＹ１側の端部近傍に設けられている。
【００５８】
右支持部材４０が、右第３部位４３から被保持物体２０に向けて突出する突出部４３ｂを備える。突出部４３ｂは、右第３部位４３の面４３ａからＺ２方向に突出した突起状の部位である。図示されないが、突出部４３ｂは、突出部３３ｂと同様にＹ方向に延びており、右第３部位４３のＹ１側の端部近傍に設けられている。
【００５９】
図８に示されるように、突出部３３ｂ及び突出部４３ｂは被保持物体２０の表面２０ｂに接触している。被保持物体２０の厚さが図８に示されるものより大きい場合、左第３部位３３及び右第３部位４３がＺ１方向に弾性変形し、突出部３３ｂ及び突出部４３ｂがＺ１方向に移動して、被保持物体２０の表面２０ｂに接触する。このようにして、左支持部材３０の左第３部位３３及び突出部３３ｂと、右支持部材４０の右第３部位４３及び突出部４３ｂとは、被保持物体２０の表面２０ｂを支持する。すなわち左支持部材３０の左第３部位３３及び突出部３３ｂと、右支持部材４０の右第３部位４３及び突出部４３ｂとは、特許請求の範囲に記載された表面支持部の一例である。突出部３３ｂ及び突出部４３ｂは、左第３部位３３及び右第３部位４３と一体に形成されてもよいし、別部材として左第３部位３３及び右第３部位４３に取り付けられてもよい。突出部３３ｂ及び突出部４３ｂがゴム等の摩擦係数の大きい材料で形成されると、被保持物体２０を確実に支持することができ好ましい。
【００６０】
〔他の実施形態〕
〔１〕保持具１を設ける面は天面１２ｂに限られない。例えば、保持具１を本体部１１の底面１１ｃや、本体部１１のキーボード面１１ａに設けてもよい。
【００６１】
〔２〕被保持物体としてはシート状又は板状の物体であればよく、材質、形状、厚さ、目的、用途等は問わない。例えば被保持物体は、情報端末の情報表示面に取り付けられる光学フィルタ（偏光フィルタ、反射防止フィルタ、プライバシーフィルタ等）、書類、雑誌等であってもよいし、情報端末の装飾や保護の為の紙、厚紙、樹脂フィルム、樹脂板等であってもよい。また、挟持体はクリアファイル２６を例として説明されたが、挟持体は非透明でもよい。
【００６２】
〔３〕上記実施形態では、保持具１の側面支持部が被保持物体２０の対向する２辺及び当該２辺に交わる１辺に対応する３つの側面（第１側面２１、第２側面２２及び第４側面２４）を支持する。保持具１の側面支持部が、被保持物体２０の対向する２辺に対応する２つの側面（例えば、第１側面２１と第２側面２２、又は第３側面２３と第４側面２４）を少なくとも支持する形態も可能である。
【００６３】
〔４〕上記の実施形態では、保持具１が２つの支持部材（左支持部材３０及び右支持部材４０）を備えているが、保持具１が備える支持部材の数は１つでもよいし３つ以上でもよい。
【００６４】
〔５〕上記の実施形態では、両面テープ３５、４５により保持具１がノートパソコン１０に固定されたが、保持具１が粘着剤、接着剤、ビス、磁石等の他の手段によりノートパソコン１０に固定されてもよい。
【００６５】
〔６〕ノートパソコン１０に複数の保持具１が設けられて、複数の被保持物体２０がノートパソコン１０に保持されてもよい。例えば、ディスプレイ部１２の天面１２ｂに、複数の保持具１が積層状態又は並列状態で設けられてもよい。
【００６６】
〔７〕被保持物体２０の形状は矩形状に限られない。被保持物体２０の大きさ（面積又は辺長）は、情報端末（ノートパソコン１０）の保持面（天面１２ｂ）の大きさ（面積又は辺長）の５０％以上であると好ましく、９５％以下であると好ましい。
【産業上の利用可能性】
【００６７】
本発明は、ノートパソコン、スマートフォンやタブレット端末等の携帯可能な情報端末に適用可能である。
【符号の説明】
【００６８】
１      ：保持具
１０    ：ノートパソコン（情報端末）
１２ａ  ：情報表示面
１２ｂ  ：天面（保持面）
２０    ：被保持物体
２０ａ  ：裏面
２０ｂ  ：表面
２１    ：第１側面（側面）
２２    ：第２側面（側面）
２３    ：第３側面（側面）
２４    ：第４側面（側面）
２５    ：光学フィルタ（被挟持体）
２６    ：クリアファイル（挟持体）
３０    ：左支持部材（支持部材）
３１ａ  ：側面（側面支持部）
３２ａ  ：側面（側面支持部）
３３    ：左第３部位（変形部）
３３ａ  ：面（表面支持部）
３３ｂ  ：突出部
３４ａ  ：面（裏面支持部）
３５    ：両面テープ（固定部）
４０    ：右支持部材（支持部材）
４１ａ  ：側面（側面支持部）
４２ａ  ：側面（側面支持部）
４３    ：右第３部位（変形部）
４３ａ  ：面（表面支持部）
４３ｂ  ：突出部
４４ａ  ：面（裏面支持部）
４５    ：両面テープ（固定部）
【図１】
2020181298.tif 000003
【図２】
2020181298.tif 000004
【図３】
2020181298.tif 000005
【図４】
2020181298.tif 000006
【図５】
2020181298.tif 000007
【図６】
2020181298.tif 000008
【図７】
2020181298.tif 000009
【図８】
2020181298.tif 000010
【図９】
2020181298.tif 000011